(57)【要約】【課題】内気循環モードのときに窓部を開放した際に、ウインドスロッブ音、風切り音等の発生を抑制するとともに、車両室内の換気を的確に行うようにする。【解決手段】車両室内の空気の流れを、内気循環モードと外気導入モードとに切り換えて制御する車両用空調装置３において、内気循環モードによる制御のときに、車両内外を仕切るサンルーフ開閉装置２２又はサイドウインドウ開閉装置２３が開放されると、ブロアモータ６を駆動して外気導入モードに切り換える処理を行うためのモード切換プログラム１１３をＲＯＭ１０２に記憶した。【選択図】  図３
2005022433.tif 000002
【特許請求の範囲】
【請求項１】
車両室内の空気の流れを、内気循環モードと外気導入モードとに切り換えて制御する車両用空調装置において、
前記内気循環モードによる制御のときに、車両内外を仕切る窓部が開放されると、前記外気導入モードに切り換えるモード切換手段を有することを特徴とする車両用空調装置。
【請求項２】
前記窓部はサンルーフ開閉装置を含むことを特徴とする請求項１に記載の車両用空調装置。
【請求項３】
前記窓部は車両側部のサイドウインドウ開閉装置を含むことを特徴とする請求項１または２に記載の車両用空調装置。
【請求項４】
車両の走行速度が設定禁止速度より小さい場合に、前記モード切換手段による内気循環モードから外気導入モードへの切換を禁止する低速時禁止手段を有することを特徴とする請求項１から３のいずれか一項に記載の車両用空調装置。
【請求項５】
前記低速時禁止手段は、前記窓部が設定開度以上のときに、前記モード切換手段による内気循環モードから外気導入モードへの切換を禁止することを特徴とする請求項４に記載の車両用空調装置。
【請求項６】
予め設定された室内急冷条件を満足すると、内気循環モードとして車両室内を急速に冷却する急冷制御モードによる制御を行うものであって、
前記急冷制御モードによる制御中には、前記モード切換手段による内気循環モードから外気導入モードへの切換を禁止する急冷時禁止手段を有することを特徴とする請求項１から５のいずれか一項に記載の車両用空調装置。
【請求項７】
前記外気導入モードによる制御のときに、前記窓部が開放され、且つ、車両の走行速度が設定減少速度より大きい場合に、送風風量を減じる風量減少手段を有することを特徴とする請求項１から６のいずれか一項に記載の車両用空調装置。
【発明の詳細な説明】
【０００１】
【発明の属する技術分野】
本発明は、内気循環モードと外気導入モードとを切り換えて、車両室内の空気の流れを制御する車両用空調装置に関するものである。
【０００２】
【従来の技術】
自動車等の車両の空調システムとしては、室内で空気を循環させる内気循環モードと、車両外部から空気を導入する外気導入モードに切り換えて、車両室内の空気の流れを制御するものが一般的である（例えば、特許文献１参照。）。内気循環モードにした場合、渋滞等により自動車の周囲に充満した排気ガスの室内への侵入を防止することができるし、外気導入モードに比べて車両室内を急速に冷却または加温することができるというメリットがある。
【０００３】
内気循環モードと外気導入モードは、車両用空調装置が制御部により設定条件となるよう自動的に制御されている場合は自動的に切り換えられるし、乗員の手動操作により切り換えられる。尚、特許文献１に記載のものでは、オープンカーの幌が開放されたときに、自動的に外気導入モードから内気循環モードに切り換えるようになっている。
【０００４】
【特許文献１】
特開２００１−８８５３７号公報
【０００５】
【発明が解決しようとする課題】
しかしながら、前記車両用空調装置では、車両走行時に内気循環モードのときにサンルーフ開閉装置、サイドウインドウ開閉装置等の窓部を開放すると、室内においては空気が循環する流れであるので、窓部外方にて車両外部を流れる空気と車両室内の空気との間で圧力差が生じてウインドスロッブ音が発生するし、車両外部を流れる空気が乱れて風切り音が発生し、乗員にとって不快であるいう問題点がある。
また、乗員が喫煙時等に車両室内を換気する目的で窓部を開放したとしても、内気循環モードのままでは、室内の空気は窓部から室内には殆ど流出せず、的確に換気を行うことができないという問題点もあった。
【０００６】
本発明は、前記事情に鑑みてなされたものであり、その目的とするところは、内気循環モードのときに窓部を開放した際に、ウインドスロッブ音、風切り音等の発生を抑制するとともに、車両室内の換気を的確に行うことのできる車両用空調装置を提供することにある。
【０００７】
【課題を解決するための手段】
前記目的を達成するため、請求項１に記載の発明では、車両室内の空気の流れを、内気循環モードと外気導入モードとに切り換えて制御する車両用空調装置において、前記内気循環モードによる制御のときに、車両内外を仕切る窓部が開放されると、前記外気導入モードに切り換えるモード切換手段を有することを特徴とする。
【０００８】
請求項１に記載の発明によれば、内気循環モードのときに窓部が開放されると、モード切換手段により、内気循環モードから外気導入モードへ切り換えられる。ここで、外気導入モードとなると、車両外部から車両室内へ空気が導入されるので、導入された空気は開放された窓部から流出することとなる。
【０００９】
従って、車両室内から流出する空気が窓部外側にて車両室外を流通する空気と合流するので、室内の空気と室外の空気の圧力差が格段に減じられ、ウインドスロッブ音を抑制することができる。また、車両外部を流れる空気が比較的滑らかとなり、風切り音の発生を抑制することができる。さらに、室内の空気が車両室外へと流出するので、室内を的確に換気することができる。
【００１０】
請求項２に記載の発明では、請求項１に記載の車両用空調装置において、前記窓部はサンルーフ開閉装置を含むことを特徴とする。
【００１１】
請求項２に記載の発明によれば、請求項１の作用に加え、車両のサンルーフ開閉装置が開放されたときに内気循環モードである場合に、外気導入モードに切り換えられる。
【００１２】
請求項３に記載の発明では、請求項１または２に記載の車両用空調装置において、前記窓部は車両側部のサイドウインドウ開閉装置を含むことを特徴とする。
【００１３】
請求項３に記載の発明によれば、請求項１または２の作用に加え、車両のサイドウインドウ開閉装置が開放されたときに内気循環モードである場合に、外気導入モードに切り換えられる。
【００１４】
請求項４に記載の発明では、請求項１から３のいずれか一項に記載の車両用空調装置において、車両の走行速度が設定禁止速度より小さい場合に、前記モード切換手段による内気循環モードから外気導入モードへの切換を禁止する低速時禁止手段を有することを特徴とする。
【００１５】
請求項４に記載の発明によれば、請求項１から３のいずれか一項の作用に加え、車両の走行速度が設定禁止速度より小さい場合には、窓部が開放されたとしても、内気循環モードから外気導入モードへの切換は行われない。これにより、内気循環モードであっても、車両室外を流通する空気の速度が小さく、ウインドスロッブ音、風切り音等が生じ難く、また、車両室内の空気が比較的車両室外へ流出し易い状態では、外気導入モードへの切換が禁止される。
【００１６】
従って、外気導入モードにせずとも、ウインドスロッブ音、風切り音等が生じ難く、ある程度の換気性能が確保される車両の低速状態においては、内気循環モードが維持される。すなわち、車両室内の状態に応じて自動的に内気循環モードが選択されている場合は、内気循環モードを維持することにより効率のよい空調状態が持続するし、乗員の手動により内気循環モードが選択されている場合は、乗員の望む空調状態が持続することとなる。
【００１７】
請求項５に記載の発明では、請求項４に記載の車両用空調装置において、前記低速時禁止手段は、前記窓部が設定開度以上のときに、前記モード切換手段による内気循環モードから外気導入モードへの切換を禁止することを特徴とする。
【００１８】
請求項５に記載の発明によれば、請求項４の作用に加え、車両の走行速度が設定禁止速度より小さい場合で、窓部が設定開度以上のときに、内気循環モードから外気導入モードへの切換が行われる。すなわち、窓部が設定開度より小さいときには、外気導入モードへの切換は行われない。
【００１９】
従って、窓部の開放状態が小さい場合には、乗員も室内を換気する意志がなく、このような場合にまで外気導入モードに切り換えられることを禁止して、効率のよい内気循環モードの空調状態を維持することができる。
【００２０】
請求項６に記載の発明では、請求項１から５のいずれか一項に記載の車両用空調装置において、予め設定された室内急冷条件を満足すると、内気循環モードとして車両室内を急速に冷却する急冷制御モードによる制御を行うものであって、前記急冷制御モードによる制御中には、前記モード切換手段による内気循環モードから外気導入モードへの切換を禁止する急冷時禁止手段を有することを特徴とする。
【００２１】
請求項６に記載の発明によれば、請求項１から５のいずれか一項の作用に加え、急冷制御モードによる制御中には、内気循環モードから外気導入モードへの切換が禁止され、室内の急冷に不向きな外気導入モードとされず、内気循環モードのまま車両室内の冷却が優先されることとなる。尚、急冷制御モードが終了した後は、モード切換手段によって外気導入モードへ移行することとなる。
【００２２】
従って、乗員にとってウインドスロッブ音、風切り音等よりも不快な高温状態が先に解消した後、ウインドスロッブ音、風切り音等を解消することができ、実用に際して極めて有利である。
【００２３】
請求項７に記載の発明では、請求項１から６のいずれか一項に記載の車両用空調装置において、前記外気導入モードによる制御のときに、前記窓部が開放され、且つ、車両の走行速度が設定減少速度より大きい場合に、送風風量を減じる風量減少手段を有することを特徴とする。
【００２４】
請求項７に記載の発明によれば、請求項１から６のいずれか一項の作用に加え、窓部が開放されて車両が走行している場合、車両前部から導入された室内の空気が窓部から流出することから、車両室内を流れる空気の流速が速くなる。このとき、通常の制御状態に比べて送風口から吐出される送風風量が大きくなってしまうが、送風風量を減じることにより、通常の制御状態の送風状態を実現することができる。
【００２５】
従って、車両走行時に窓部が開放された場合であっても、車両室内を通常の制御状態と同様に制御することができる。
【００２６】
【発明の実施の形態】
図１から図４は本発明の一実施形態を示すもので、図１は車両室内の外観図、図２は車両用空調装置の送風ダクトの概略構成図、図３は車両用空調装置の概略構成ブロック図、図４は車両用空調装置の制御部の動作を示すフローチャートである。
【００２７】
図１に示すように、自動車車両の室内には、インストルメントパネル１の中央側に空調操作部２が備えられる。乗員による空調操作部２からの入力により、車両用空調装置３が制御されるようになっている。この車両用空調装置３は、図１に示すように、車両室内に複数の送風口３ａを有し、空調操作部２の手動入力、後述する制御部１００の自動制御等により、送風される送風口３ａが選択されるとともに内気循環モード及び外気導入モードの選択が行われる。
【００２８】
図２に示すように、この車両用空調装置３は、各送風口３ａに至る送風ダクト４を有する。送風ダクト４内には、各送風口３ａへの空気の流通を選択するための複数の送風口切換ダンパ５が配される。また、送風ダクト４内には、送風風量を調整するためのブロアモータ６が配される。さらに、送風ダクト４内のブロアモータ６の下流側には、送風ダクト４内の空気を熱交換により冷却するエバポレータ７と、送風ダクト４内の空気を加温するヒータコア８が配される。エバポレータ７は、コンデンサ（図示せず）、コンプレッサ９等とともに冷媒が流通する冷凍回路を構成する。また、ヒータコア８にはエンジンの冷却水が流通する。ブロアモータ６の上流側には、車両室内の空気が循環する内気循環モードと、車両室外の空気が導入される外気導入モードとに選択的に切り換える内外気切換ダンパ１０が配される。
【００２９】
図３に示すように、空調操作部２、各送風口切換ダンパ５、ブロアモータ６、ヒータコア８、コンプレッサ９、内外気切換ダンパ１０等は、制御部１００に接続される。また、制御部１００は、コンデンサを冷却する冷却ファン１１に接続され、必要に応じて冷却ファン１１を作動させる。さらに、制御部１００は、外気温度センサ１２ａ、室内温度センサ１２ｂ、車速センサ１３、日射量センサ１４等に接続される。空調操作部２は、メインスイッチ１５、オートスイッチ１６、内外気切換スイッチ１７、送風口選択スイッチ１８、風量調整スイッチ１９、設定温度調整スイッチ２０、コンプレッサ運転・停止スイッチ２１等を含んでいる。また、制御部１００は、サンルーフ開閉装置２２、サイドウインドウ開閉装置２３に接続され、窓部としてのサンルーフ開閉装置２２及びサイドウインドウ開閉装置２３の開度が入力されるようになっている。
【００３０】
制御部１００は、演算部としてのＥＣＵ１０１と、記憶部としてのＲＯＭ１０２及びＲＡＭ１０３と、上述の外部機器に電気的に接続されるインターフェース部（図示せず）とを有している。ＲＯＭ１０２には、手動制御プログラム１１０、自動制御プログラム１１１、急冷制御プログラム１１２、モード切換プログラム１１３が記憶される。
【００３１】
手動制御プログラム１１０は、空調操作部２のオートスイッチ１６がＯＦＦ状態のときに、内外気切換スイッチ１７、送風口選択スイッチ１８、風量調整スイッチ１９、設定温度調整スイッチ２０、コンプレッサ運転・停止スイッチ２１等の状態に基づいて、各送風口切換ダンパ５、ブロアモータ６、コンプレッサ９、内外気切換ダンパ１０等を制御するためのプログラムである。これにより、乗員は手動により車両用空調装置３を所望の状態で動作させることができる。
【００３２】
また、自動制御プログラム１１１は、空調操作部２のオートスイッチ１６がＯＮ状態のときに、設定温度調整スイッチ２０により設定された室内温度と、外気温度センサ１２ａ、室内温度センサ１２ｂ、車速センサ１３、日射量センサ１４等から取得した情報から、自動的に各送風口切換ダンパ５、ブロアモータ６、コンプレッサ９、内外気切換ダンパ１０等を制御するためのプログラムである。これにより、乗員は、設定温度を調整するのみで、最適な状態で車両用空調装置３が自動的に制御される。
【００３３】
また、急冷制御プログラム１１２は、室内温度センサ１２ｂにより検出された車両室内の温度がＲＯＭ１０２に記憶された設定急冷温度Ｔｈより高い場合に、車両室内を急速に冷却するためのプログラムである。具体的には、内外気切換ダンパ１０を駆動して内気循環モードとするとともに、エバポレータ７における熱交換が最大となるようにコンプレッサ９、冷却ファン１１を作動させ、ブロアモータ６を最大風量となるように駆動することにより、車両室内の急速な冷却が行われる。
【００３４】
また、モード切換プログラム１１３は、内気循環モードによる制御のときに、サンルーフ開閉装置２２及びサイドウインドウ開閉装置２３が開放されると、外気導入モードへと自動的に切り換えるためのプログラムである。すなわち、本実施形態においては、制御部１００がモード切換手段をなしている。
【００３５】
また、ＲＯＭ１０２には、所定の条件が成立すると、モード切換プログラム１１３による内気循環モードから外気導入モードへの切換を禁止する急冷時切換禁止プログラム１１４と低速時切換禁止プログラム１１５とが記憶される。すなわち、本実施形態においては、制御部１００が低速時禁止手段と急冷時禁止手段をなしている。急冷時切換禁止プログラム１１４は急冷制御プログラム１１２による制御中にモードの切換を禁止し、低速時切換禁止プログラム１１５は車両の走行速度が設定禁止速度Ｖａより小さい場合にモードの切換を禁止する。本実施形態においては、低速時切換禁止プログラム１１５は、サンルーフ開閉装置２２及びサイドウインドウ開閉装置２３の開度が、設定開度Ｏｐ以上のときにのみ、モードの切換を禁止するようになっている。
【００３６】
さらに、ＲＯＭ１０２には、所定の条件が成立すると、ブロアモータ６の総風量を減少させるための風量減少プログラム１１６が記憶されている。すなわち、本実施形態においては、制御部１００が風量減少手段をなしている。本実施形態においては、風量減少プログラム１１６は、外気導入モードによる制御のときに、サンルーフ開閉装置２２又はサイドウインドウ開閉装置２３が開放され、且つ、車両の走行速度が設定減少速度Ｖｂより大きい場合に、ブロアモータ６を制御して送風風量を減じるためのプログラムである。
【００３７】
以上のように構成された車両用空調装置３において、サンルーフ開閉装置２２又はサイドウインドウ開閉装置２３が開放された際に、内気循環モードから外気導入モードへ切り換える制御部１００の動作を、図４に示すフローチャートを参照して説明する。
【００３８】
まず、制御部１００は、フラグＦを０とし（ステップＳ１）、サンルーフ開閉装置２２又はサイドウインドウ開閉装置２３が開放されているか否かを判断する（ステップＳ２）。サンルーフ開閉装置２２、サイドウインドウ開閉装置２３の開閉判断は、開口部を仕切るガラス等を駆動するモータの状態から検出してもよいし、ガラス等の位置から直接的に検出してもよく、さらには各装置２１，２２の操作履歴等から検出してもよい。サンルーフ開閉装置２２又はサイドウインドウ開閉装置２３が閉塞されている場合はモード切換制御を終了する。
【００３９】
サンルーフ開閉装置２２又はサイドウインドウ開閉装置２３が開放されている場合は、車両用空調装置３が内気循環モードか外気導入モードかを判断する（ステップＳ３）。内気循環モードか否かの判断は、内外気切換ダンパ１０を駆動するモータの状態から検出してもよいし、ダンパ１０の位置から直接的に検出してもよく、さらには内外気切換スイッチ１７の操作履歴から検出してもよい。ステップＳ３にて内気循環モードでなく外気導入モードであると判断すると、外気導入モードを維持して（ステップＳ４）、後述するステップＳ１１へ進む。
【００４０】
ステップＳ３にて内気循環モードであると判断すると、室内温度が設定急冷温度Ｔｈより高いか否かを判断する（ステップＳ５）。室内温度が設定急冷温度Ｔｈより高い場合は、内気循環モードを維持して（ステップＳ６）、ステップＳ５へ戻る。室内温度が設定急冷温度Ｔｈ以下の場合は、車速が設定禁止速度Ｖａより小さか否かを判断する（ステップＳ７）。
【００４１】
車速が設定禁止速度Ｖａ以上の場合は、続いて、サンルーフ開閉装置２２及びサイドウインドウ開閉装置２３の開度が、設定開度Ｏｐ以上であるか否かを判断する（ステップＳ８）。サンルーフ開閉装置２２及びサイドウインドウ開閉装置２３の開度も、開口部を仕切るガラス等を駆動するモータの状態から検出してもよいし、ガラス等の位置から直接的に検出してもよく、さらには各開閉装置２２，２３の操作履歴等から検出してもよい。ステップＳ７にて車速が設定禁止速度Ｖａより小さい場合、ステップＳ８にてサンルーフ開閉装置２２及びサイドウインドウ開閉装置２３の開度が設定開度Ｏｐより小さい場合は、内気循環モードを維持して（ステップＳ９）、ステップＳ７へ戻る。
【００４２】
ステップＳ８にてサンルーフ開閉装置２２及びサイドウインドウ開閉装置２３の開度が設定開度Ｏｐより大きい場合は、自動的に外気導入モードに切り換える（ステップＳ１０）。
【００４３】
次いで、車速が設定減少速度Ｖｂより大きいか否かを判断する（ステップＳ１１）。車速が設定減少速度Ｖｂ以下の場合は、ブロアモータ６の作動状態を維持する（ステップＳ１２）。
【００４４】
また、車速が設定減少速度Ｖｂより大きい場合は、フラグＦが０であるか否かを判断する（ステップＳ１３）。フラグＦが０である場合は、ブロアモータ６による送風風量を減少させて（ステップＳ１４）、フラグＦを１とする（ステップＳ１５）。このとき、ブロアモータ６に送風風量は、数段階に設定されている風量の段数を下げるようにするとよい。ステップＳ１３にて、フラグＦが０でない場合、すなわち１である場合は、ステップＳ１２に進んでブロアモータ６の作動状態を維持する。
【００４５】
ステップＳ１２及びステップＳ１５の後、サンルーフ開閉装置２２及びサイドウインドウ開閉装置２３が開放されているか否かを判断し（ステップＳ１６）、開放されていない場合は、通常制御の状態に移行して（ステップＳ１７）、モード切換制御を終了する。サンルーフ開閉装置２２及びサイドウインドウ開閉装置２３が引き続き開放されている場合は、ステップＳ３へ戻る。
【００４６】
このように、本実施形態の車両用空調装置３によれば、内気循環モードのときにサンルーフ開閉装置２２又はサイドウインドウ開閉装置２３が開放されると、モード切換プログラム１１３により、内気循環モードから外気導入モードへ切り換えられる。ここで、外気導入モードとなると、車両外部から車両室内へ空気が導入されるので、導入された空気は開放されたサンルーフ開閉装置２２又はサイドウインドウ開閉装置２３から流出することとなる。
【００４７】
従って、車両室内から流出する空気がサンルーフ開閉装置２２又はサイドウインドウ開閉装置２３の外側にて車両室外を流通する空気と合流するので、室内の空気と室外の空気の圧力差が格段に減じられ、ウインドスロッブ音を抑制することができる。また、車両外部を流れる空気が比較的滑らかとなり、風切り音の発生を抑制することができる。さらに、室内の空気が車両室外へと流出するので、室内を的確に換気することができる。
【００４８】
また、本実施形態の車両用空調装置３によれば、車両の走行速度が設定禁止速度Ｖａより小さい場合には、サンルーフ開閉装置２２又はサイドウインドウ開閉装置２３が開放されたとしても、内気循環モードから外気導入モードへの切換は行われない。これにより、内気循環モードであっても、車両室外を流通する空気の速度が小さく、ウインドスロッブ音、風切り音等が生じ難く、また、車両室内の空気が比較的車両室外へ流出し易い状態では、外気導入モードへの切換が禁止される。
【００４９】
従って、外気導入モードにせずとも、ウインドスロッブ音、風切り音等が生じ難く、ある程度の換気性能が確保される車両の低速状態においては、内気循環モードが維持される。すなわち、自動制御プログラム１１１により車両室内の状態に応じて自動的に内気循環モードが選択されている場合は、内気循環モードを維持することにより効率のよい空調状態が持続するし、手動制御プログラム１１０により乗員の手動操作に基づいて内気循環モードが選択されている場合は、乗員の望む空調状態が持続することとなる。
【００５０】
特に、本実施形態においては、車両の走行速度が設定禁止速度Ｖａより小さい場合で、サンルーフ開閉装置２２及びサイドウインドウ開閉装置２３が設定開度Ｏｐ以上のときに、内気循環モードから外気導入モードへの切換が行われる。すなわち、サンルーフ開閉装置２２及びサイドウインドウ開閉装置２３が設定開度Ｏｐより小さいときには、外気導入モードへの切換は行われない。
【００５１】
従って、サンルーフ開閉装置２２及びサイドウインドウ開閉装置２３の開放状態が小さい場合には、乗員も室内を換気する意志がなく、このような場合にまで外気導入モードに切り換えられることを禁止して、効率のよい内気循環モードの空調状態を維持することができる。
【００５２】
また、本実施形態の車両用空調装置３によれば、急冷制御モードによる制御中には、内気循環モードから外気導入モードへの切換が禁止され、室内の急冷に不向きな外気導入モードとされず、内気循環モードのまま車両室内の冷却が優先されることとなる。尚、急冷制御モードが終了した後は、モード切換プログラム１１３に基づいて外気導入モードへ移行することとなる。
【００５３】
従って、乗員にとってウインドスロッブ音、風切り音等よりも不快な高温状態が先に解消した後、ウインドスロッブ音、風切り音等を解消することができ、実用に際して極めて有利である。
【００５４】
また、本実施形態の車両用空調装置３によれば、外気導入モードによる制御のときに、サンルーフ開閉装置２２又はサイドウインドウ開閉装置２３が開放され、且つ、車両の走行速度が設定減少速度Ｖｂより大きい場合に、ブロアモータ６の送風風量を減じるようになっている。ここで、サンルーフ開閉装置２２又はサイドウインドウ開閉装置２３が開放されて車両が走行している場合、車両前部から導入された室内の空気がサンルーフ開閉装置２２又はサイドウインドウ開閉装置２３から流出することから、車両室内を流れる空気の流速が速くなる。このとき、通常の制御状態に比べて送風口３ａから吐出される送風風量が大きくなってしまうが、送風風量を減じることにより、通常の制御状態の送風状態を実現することができる。
従って、車両走行時にサンルーフ開閉装置２２又はサイドウインドウ開閉装置２３が開放された場合であっても、車両室内を通常の制御状態と同様に制御することができる。
【００５５】
尚、前記実施形態においては、窓部がサンルーフ開閉装置２２及びサイドウインドウ開閉装置２３を含むものを示したが、窓部としてサンルーフ開閉装置２２が備えられておらずサイドウインドウ開閉装置のみの構成であっても前記実施形態と同様の作用効果を得ることができる。また、サイドウインドウ開閉装置の開閉状態には従わず、サンルーフ開閉装置の開閉状態のみと連動するものであってもよい。
【００５６】
また、前記実施形態においては、車速が設定禁止速度Ｖａより小さい場合に、サンルーフ開閉装置２２及びサイドウインドウ開閉装置２３の設定開度Ｏｐに基づいて、内気循環モードから外気導入モードへの切換の判断を行うものを示したが、窓部の開度によらずモードの切換を行わないように構成してもよい。さらには、例えば、図５に示すように、前記実施形態におけるステップＳ７〜ステップＳ９を省略し、車速によらずにモードの切換を行うようにしてもよい。
【００５７】
また、前記実施形態においては、急冷制御モードによる制御中には、内気循環モードから外気導入モードへの切換を禁止するものを示したが、例えば、図５に示すように、前記実施形態におけるステップＳ５・ステップＳ６を省略し、急冷制御モードであるか否かを問わずモードの切換を行うようにしてもよい。
【００５８】
また、前記実施形態においては、外気導入モードのときに、窓部が開放されて車速が設定減少速度Ｖｂより大きい場合に送風風量を減じるものを示したが、例えば、図５に示すように、前記実施形態におけるステップＳ１１〜ステップＳ１５を省略し、ブロアモータ６の作動状態を維持し続けるようにしてもよいことは勿論である。さらには、モード切換プログラム１１６により内気循環モードから外気導入モードに切り換えられたときのみならず、窓部が開放されて車速が所定速度より大きい場合に、常に、送風風量を減じるようにしてもよいし、その他、具体的な細部構造等についても適宜に変更可能であることは勿論である。
【００５９】
【発明の効果】
以上詳述したように、内気循環モードのときに窓部が開放されると、モード切換手段により、内気循環モードから外気導入モードへ切り換えられる。ここで、外気導入モードとなると、車両外部から車両室内へ空気が導入されるので、導入された空気は開放された窓部から流出することとなる。
従って、車両室内から流出する空気が窓部外側にて車両室外を流通する空気と合流するので、室内の空気と室外の空気の圧力差が格段に減じられ、ウインドスロッブ音を抑制することができる。また、車両外部を流れる空気が比較的滑らかとなり、風切り音の発生を抑制することができる。さらに、室内の空気が車両室外へと流出するので、室内を的確に換気することができる。
【図面の簡単な説明】
【図１】本発明の一実施形態を示すもので車両室内の外観図である。
【図２】車両用空調装置の送風ダクトの概略構成図である。
【図３】車両用空調装置の概略構成ブロック図である。
【図４】車両用空調装置の制御部の動作を示すフローチャートである。
【図５】他の実施形態を示すものであって、車両用空調装置の制御部の動作を示すフローチャートである。
【符号の説明】
１            送風口
２            空調操作部
３            車両用空調装置
４            送風ダクト
５            送風口切換ダンパ
６            ブロアモータ
７            エバポレータ
８            ヒータコア
９            コンプレッサ
１０          内外気切換ダンパ
１３          車速センサ
２２          サンルーフ開閉装置
２３          サイドウインドウ開閉装置
１００        制御部
１０１        ＥＣＵ
１０２        ＲＯＭ
１１２        急冷制御プログラム
１１３        モード切換プログラム
１１４        急冷時切換禁止プログラム
１１５        低速時切換禁止プログラム
１１６        風量減少プログラム
Ｏｐ          設定開度
Ｔｈ          設定急冷温度
Ｖａ          設定禁止速度
Ｖｂ          設定減少速度
【図１】
2005022433.tif 000003
【図２】
2005022433.tif 000004
【図３】
2005022433.tif 000005
【図４】
2005022433.tif 000006
【図５】
2005022433.tif 000007